【手続補正書】
【提出日】平成27年6月22日(2015.6.22)
【手続補正１】
【補正対象書類名】特許請求の範囲
【補正対象項目名】全文
【補正方法】変更
【補正の内容】
【特許請求の範囲】
【請求項１】
医療機器を搬送し、展開するための操舵可能型カテーテルであって、
近位および遠位末端と直線軸を有する細長い管状外部さやと、
前記さやの遠位末端にマウントされたハウジングで、医療機器を含むように構成されたチャンバーを構成し、その遠位末端で開放遠位ポートを有するハウジングと、
前記さやを通して伸長している内部シャフトで、張力のもとで広げられない内部シャフトと、
前記内部シャフトの遠位末端に固定された当接部で、前記チャンバー内に配置され、前記チャンバーの近位末端を構成し、前記内部シャフトと当接部は、前記さやとハウジングに対して長手方向に移動可能である当接部と、を備え、
前記外部さやが、前記ハウジングの近位領域と前記当接部の近位に隣接した棚を有し、前記棚が、前記内部シャフトの伸長に対する応答で、外部さやに圧縮負荷を適用するために、前記当接部の近位に面している表面によって係合させられるように構成され、
前記外部さやは、近位末端にて適用された回転を、遠位末端に制御可能に伝送するための十分にねじれに剛であり、
前記外部さやは、前記棚に対して、前記当接部によって適用された前記圧縮負荷のもと、直線軸から長手方向に離れて屈曲するように構築され、屈曲の程度が、さやにかけられた圧縮負荷の程度に対応し、
前記外部さやは、前記当接部に対して引き込み可能であり、前記外部さやを引き込むことによって、チャンバー内に含まれる医療機器が、前記当接部に対して、選択された位置で少なくとも部分的に展開される、
ことを特徴とする操舵可能型カテーテル。
【請求項２】
前記外部さやが、遠位方向で、柔軟性が増加するように構成されている、
請求項１に記載のカテーテル。
【請求項３】
前記外部さやが、多数の連続して連結したセグメントから形成され、前記セグメントの最も遠位が、もっとも柔軟性が高く、前記さやが加圧されるにつれて、長手方向屈曲の最も大きな程度を示す、
請求項２に記載のカテーテル。
【請求項４】
前記外部さやが、近位セグメントと、より短い中間セグメントと、更に短い遠位セグメントとを含む少なくとも３つのセグメントを有し、前記ハウジングが、比較的柔軟性がなく、前記遠位セグメントの遠位末端から遠位に伸長している、
請求項３に記載のカテーテル。
【請求項５】
前記外部さやが、前記ハウジングの軸と、前記直線軸間で、少なくとも約９０度の角度を構成するために、前記内部シャフトの伸長に応答して屈曲可能である、
請求項２に記載のカテーテル。
【請求項６】
前記外部さやが、前記ハウジングの軸と、前記直線軸間で、少なくとも約１８０度の角度を構成するために、前記内部シャフトの伸長に応答して屈曲可能である、
請求項２に記載のカテーテル。
【請求項７】
前記たなが、前記さやの遠位セグメントの遠位末端によって構成され、前記ハウジングの近位末端が、ハウジング内に配置されているさやで、前記遠位セグメントの遠位末端且つその周辺に取り付けられる、
請求項１に記載のカテーテル。
【請求項８】
前記たなが環状であり、前記当接部が、前記たなに隣接するための直径を有するディスクの形状である、
請求項７に記載のカテーテル。
【請求項９】
前記内部シャフトが、その長さに沿って伸長している内腔を含み、前記当接部が、内腔と連絡する開口部を有し、それによってつなぎ網が、チャンバー内の医療機器から、前記カテーテルの近位末端に伸長可能である、
請求項１に記載のカテーテル。
【請求項１０】
さらに、前記カテーテルの近位末端にて、クランプを含み、前記クランプが、前記つなぎ綱の近位末端を受領して、放出可能にクランプするように構成されている、
請求項９に記載のカテーテル。
【請求項１１】
前記当接部が、前記チャンバーが医療機器を装填されたとき前記チャンバーの近位末端の位置をＸ線透過によって決定可能にするためにＸ線不透過性である、
請求項１に記載のカテーテル。
【請求項１２】
さらに、前記ハウジングの遠位末端にて位置する、Ｘ線不透過性マーカーバンドが含まれる、
請求項１１に記載のカテーテル。
【請求項１３】
前記カテーテルの近位末端でのハンドルで、長手方向移動のためにマウントされたスライドを含み、前記スライドが前記ハンドルの外側で操作可能であるハンドルを備え、
さやの近位末端が、前記ハンドルまたは前記スライドの１つと取り付けられ、および
前記内部シャフトの近位末端が、他の前記ハンドルまたは前記スライドと取り付けられる、
請求項１に記載のカテーテル。
【請求項１４】
さらに、前記カテーテルの近位および遠位末端間の流体連結を可能にするために、内部シャフトとの連絡している前記ハンドルにマウントされた側面ポートを含む、
請求項１３に記載のカテーテル。
【請求項１５】
医療機器を搬送し、展開するための操舵可能型カテーテルであって、
近位および遠位末端を有する管状外部さやと、
前記さやの遠位末端にマウントされたハウジングで、医療機器を含むように構成されたチャンバーを構成しており、その遠位末端に開放遠位ポートを有するハウジングと、
前記さやを通して伸長している内部シャフトで、張力で比較的広げられない内部シャフトと、
前記シャフトの遠位末端に固定された当接部で、前記チャンバー内に配置され、前記チャンバーの近位末端を構成し、前記内部シャフトと当接部は、前記さやとハウジングに対して、長手方向に移動可能である当接部と、を備え、
前記外部さやが、前記ハウジングの近位領域と前記当接部の近位に隣接した棚を有し、前記棚が、前記当接部の近位に面する表面によって係合され、前記内部シャフトの伸長に応答して外部さやに圧縮負荷を適用するように構成され、
前記外部さやが、前記棚に対して、前記当接部によって適用された前記圧縮負荷のもと、前記さやが長手方向に屈曲することを可能にするための手段を有し、
屈曲の程度が、前記さやに適合された圧縮負荷の程度に対応し、
前記外部さやが、前記当接部に対して引き込む可能であり、それによって前記外部さやを引き込むことによって、チャンバー内に含まれる医療機器が、前記当接部に対して選択された位置にて少なくとも部分的に展開される、
ことを特徴とする操舵可能型カテーテル。
【請求項１６】
少なくとも患者の心臓の右側に、大腿静脈を通して、医療機器を搬送し、展開するための操舵可能型カテーテルであって、
近位および遠位末端を有する管状外部さやと、
前記さやの遠位末端にマウントされたハウジングで、医療機器を含むように適合したチャンバーを構成しており、その遠位末端にて、開放遠位ポートを有するハウジングと、
前記さやを通して伸長している内部シャフトで、張力のもとで比較的広げられない内部シャフトと、
前記シャフトの遠位末端に固定された当接部で、前記チャンバー内に配置され、前記チャンバーの近位末端を構成し、前記内部シャフトと当接部は、前記さやとハウジングに対して、長手方向に移動可能である当接部と、を備え、
前記外部さやが、前記ハウジングの近位領域と前記当接部の近位に隣接した棚を有し、前記棚が、前記内部シャフトの伸長に応答して、外部さやに圧縮負荷を適用するために、前記当接部の近位に面する表面によって係合されるように構成され、
前記外部さやが、前記棚に対して、前記当接部によって適用された前記圧縮負荷のもと、前記さやが長手方向に屈曲することを可能にするための手段を有し、屈曲の程度が、前記さやに適合された圧縮負荷の程度に対応し、前記さやは約１８０度の少なくとも２つの屈曲を含む経路を通して、屈曲可能で、ナビゲート可能であり、
前記外部さやが前記当接部に対して引き込む可能であり、前記外部さやを引き込むことによって、チャンバー内に含まれる医療機器が、前記当接部に対して、選択された位置で少なくとも部分的に展開される、
ことを特徴とする操舵可能型カテーテル。
【請求項１７】
前記カテーテルが、肺動脈に到達するのに十分な長さを有する、
請求項１６に記載のカテーテル。